(57)【要約】【課題】シート後処理部が画像形成部から引き離された状態でも、安定してシート後処理部の状態を画像形成部の表示部に表示することができる画像形成システムを提供する。【解決手段】この画像形成システムは、画像形成装置１０００とシート後処理装置２０００とを備える。シート後処理装置２０００は、画像形成装置１０００から引き離された際に、制御部３７０、紙検センサ類３７５の一部又は全部、および無線通信部３２０に対して電源切換え部３７９のバックアップ電源から電力が供給される。そして、制御部３７０は、シート後処理装置２０００が引き離された際に、記憶手段に記憶した紙検センサ類３７５等の状態情報を画像形成装置１０００の表示部４０１に表示すべく、該状態情報を無線通信部３２０，２５０を介して画像形成装置１０００に送信する。【選択図】図３
2008242294.tif 000002
【特許請求の範囲】
【請求項１】
シートに画像を形成する画像形成部と、該画像形成部のシートの排出側に着脱自在に接続され、前記画像形成部から排出されるシートに所定の後処理を施すシート後処理部と、該シート後処理部および前記画像形成部にそれぞれ設けられ、両者間で情報の送受信を行なう無線通信手段と、を備え、
前記シート後処理部は、前記画像形成部に接続された状態で該画像形成部の電源供給手段から電力が供給され、前記画像形成部から引き離された状態で該画像形成部の電源供給手段からの電力の供給が遮断される、画像形成システムであって、
前記シート後処理部は、
画像形成部から排出されたシートの後処理を制御する制御手段と、
シートの後処理の状態を検知して、状態情報を前記制御手段に出力する複数の検知手段と、
前記画像形成部から引き離された際に、前記制御手段、前記複数の検知手段の一部又は全部、および前記シート後処理部の前記無線通信手段に対して前記画像形成部の電源供給手段とは独立して電力を供給するバックアップ電源供給手段と、
前記複数の検知手段から出力される状態情報を記憶する記憶手段と、を備え、
前記制御手段は、前記シート後処理部が前記画像形成部から引き離された際に、前記記憶手段に記憶した状態情報を前記画像形成部の表示部に表示すべく、前記バックアップ電源供給手段からの電力により前記状態情報を前記無線通信手段を介して前記画像形成部に送信する、ことを特徴とする画像形成システム。
【請求項２】
前記制御手段は、前記シート後処理部が前記画像形成部から引き離された際に、前記記憶手段に記憶した複数の検知手段の状態情報に基づいて、前記バックアップ電源供給手段から電力を供給すべき前記検知手段を前記複数の検知手段から選択する、ことを特徴とする請求項１に記載の画像形成システム。
【請求項３】
前記制御手段は、前記シート後処理部が前記画像形成部から引き離された状態での前記無線通信手段の通信速度を、前記シート後処理部が前記画像形成部に接続された状態での前記無線通信手段の通信速度よりも低下させる、ことを特徴とする請求項１又は２に記載の画像形成システム。
【請求項４】
前記複数の検知手段は、シートの有無を検知するセンサを含む、ことを特徴とする請求項１〜３のいずれか一項に記載の画像形成システム。
【請求項５】
前記複数の検知手段は、ステイプルユニットの状態を検知するセンサを含む、ことを特徴とする請求項１〜４のいずれか一項に記載の画像形成システム。
【請求項６】
前記複数の検知手段は、パンチユニットの状態を検知するセンサを含む、ことを特徴とする請求項１〜５のいずれか一項に記載の画像形成システム。
【発明の詳細な説明】
【技術分野】
【０００１】
本発明は、例えば、複写機、プリンタ、ファクシミリなどの画像形成装置と、該画像形成装置に付設されるシート後処理装置とを備える画像形成システムに関する。
【背景技術】
【０００２】
画像形成装置では、シートへの画像形成動作中に装置内部もしくは画像形成装置のシート排出側に付設されたシート後処理装置でシート詰まり（紙詰まり等）が生じる場合がある。
【０００３】
この場合、画像形成装置は一部のシートを除き、シート搬送を停止するため、装置内部もしくはシート後処理装置内にシートが残された状態になる。従って、ユーザは装置のカバーを開け、内部に残されたシートを除去する必要がある。
【０００４】
従来の画像形成装置においては、装置内もしくはシート後処理装置内に残されたシートを除去する場合、ユーザは画像形成装置の表示部に表示される残されたシートの位置や処理手順の情報を見ながら該当箇所のシート除去作業を行なっている。
【０００５】
この場合、該当箇所が画像形成装置から取り外し可能なユニットもしくはシート後処理装置であると、シート除去作業時にユニットもしくはシート後処理装置を画像形成装置から引き離すことになる。
【０００６】
ところで、従来においては、画像形成装置とシート後処理装置との間の通信、画像形成装置からシート後処理装置への電源供給等の電気的な接続に関してはケーブルを用いる場合が多いため、ユーザ操作性が悪いという問題があった。また、近年、ユーザ操作性の向上という観点から、画像形成装置とシート後処理装置との電気的な接続に、ケーブルに代えてコネクタ（ドロアコネクタ）を用いる場合が増加している。
【０００７】
しかし、画像形成装置とシート後処理装置とをコネクタを介して接続した場合は、上述したように、画像形成装置とシート後処理装置とが引き離されると、画像形成装置からシート処理装置への通電が遮断される。その結果、画像形成装置の表示部に情報を表示することができなくなる。
【０００８】
また、画像形成装置からシート後処理装置への通電が遮断されると、シート後処理装置の特有の機能であるステイプルの針の有無やパンチで排出されるシート片の満杯検知の情報に関しても画像形成装置の表示部で確認することができなくなる。
【０００９】
一方、ユニットが画像形成装置から引き離された際に、シートの搬送状態を無線通信で検知して、表示部に表示する画像形成装置が提案されている（特許文献１）。
【特許文献１】特開２００５−２９２４５９号公報
【発明の開示】
【発明が解決しようとする課題】
【００１０】
ところで、画像形成装置内に配置されるユニットと同様、シート後処理装置内にも制御基板やセンサの数も多い。このため、上記特許文献１のように、無線通信でシート後処理装置の全ての情報を検知しようとすると、バックアップ電池等の容量が大きくなってしまったり、寿命がもたない等の問題が生じてしまう。
【００１１】
そこで、本発明は、シート後処理部が画像形成部から引き離された状態でも、安定してシート後処理部の状態を画像形成部の表示部に表示することができる画像形成システムを提供することを目的とする。
【課題を解決するための手段】
【００１２】
上記目的を達成するために、本発明の画像形成システムは、シートに画像を形成する画像形成部と、該画像形成部のシートの排出側に着脱自在に接続され、前記画像形成部から排出されるシートに所定の後処理を施すシート後処理部と、該シート後処理部および前記画像形成部にそれぞれ設けられ、両者間で情報の送受信を行なう無線通信手段と、を備え、前記シート後処理部は、前記画像形成部に接続された状態で該画像形成部の電源供給手段から電力が供給され、前記画像形成部から引き離された状態で該画像形成部の電源供給手段からの電力の供給が遮断される、画像形成システムであって、前記シート後処理部は、画像形成部から排出されたシートの後処理を制御する制御手段と、シートの後処理の状態を検知して、状態情報を前記制御手段に出力する複数の検知手段と、前記画像形成部から引き離された際に、前記制御手段、前記複数の検知手段の一部又は全部、および前記シート後処理部の前記無線通信手段に対して前記画像形成部の電源供給手段とは独立して電力を供給するバックアップ電源供給手段と、前記複数の検知手段から出力される状態情報を記憶する記憶手段と、を備え、前記制御手段は、前記シート後処理部が前記画像形成部から引き離された際に、前記記憶手段に記憶した状態情報を前記画像形成部の表示部に表示すべく、前記バックアップ電源供給手段からの電力により前記状態情報を前記無線通信手段を介して前記画像形成部に送信する、ことを特徴とする。
【発明の効果】
【００１３】
本発明によれば、シート後処理部が画像形成部から引き離されて画像形成部からの電力が遮断された場合は、バックアップ電源供給手段からシート後処理部の必要最低限の箇所にのみ電力を供給する。これにより、省電力で安定してシート後処理部の状態を画像形成部の表示部に表示することができる。
【発明を実施するための最良の形態】
【００１４】
以下、本発明の実施の形態の一例を図を参照して説明する。
【００１５】
図１は、本発明の実施の形態の一例である画像形成システムの内部構造を示す構成図である。
【００１６】
図１に示すように、この画像形成システムは、画像読取機能を有するリーダ部及び印刷機能を有するプリンタ部を具備する画像形成装置１０００と、該画像形成装置１０００のシートの排出側に着脱自在に接続され、該画像形成装置１０００で印刷が完了したシートに後処理を行うシート後処理装置２０００とを備える。シート後処理装置２０００は、画像形成装置１０００から排出された印刷済のシートに対して、例えば、仕分け処理、ステイプル処理等の後処理を行なう。
【００１７】
まず、画像形成システムにおける原稿画像の読み取り、読み取り画像の印刷、印刷完了シートの後処理までの全体の流れを説明する。
【００１８】
画像形成装置１０００のリーダ部において、原稿給送装置１０１に積載された原稿が１枚ずつ順次原稿台ガラス面１０２上に搬送される。原稿が原稿台ガラス面１０２の所定位置へ搬送されると、スキャナユニット１０４内のランプ１０３が点灯し且つスキャナユニット１０４が図中水平方向へ移動することで、原稿を照明する。
【００１９】
原稿からの反射光は、ミラー１０５、１０６、１０７、レンズ１０８を介してＣＣＤイメージセンサ部（以下、ＣＣＤと略称）１０９に入力される。ＣＣＤ１０９に入射された原稿の反射光は、ＣＣＤ１０９において光電変換される。光電変換された電気信号は、画像処理部１１０へ送られる。
【００２０】
画像処理部１１０の外部切り替え回路（図示略）により、リーダ部からプリンタ部へ送出された電気信号は、露光制御部２０１により変調された光信号に変換され、感光体２０２に照射される。感光体２０２に対する光の照射に伴い、感光体２０２の表面に形成された潜像は、現像器２０３によって現像される。
【００２１】
感光体２０２状の画像の先端とタイミングを合わせて、転写紙積載部２０４（Ｓ１）もしくは転写紙積載部２０５（Ｓ２）からシートが転写部２０６へ搬送され、転写部２０６において、上述の現像された像がシートに転写される。シートに転写された像は、定着部２０７により定着された後、排紙部２０８により画像形成装置１０００の外部へ排出される。
【００２２】
排紙部２０８により画像形成装置１０００の外部へ排出されたシートは、搬送路（図示略）を介してシート後処理装置２０００へ搬送され、仕分け処理、ステイプル処理等の後処理が施され、ビンユニット３０１に積載される。
【００２３】
なお、画像形成装置１０００において、１枚のシートの両面に印刷することもできるが、本発明の要旨ではないので、詳細な説明は省略する。
【００２４】
次に、シート後処理装置２０００について説明する。
【００２５】
シート後処理装置２０００は、画像形成装置１０００から排出されたシートを分けて積載収納するビンユニット３０１、シートを搬送する用紙搬送ユニット３０２、用紙搬送ユニット３０２を搬送中のシートに穿孔するパンチユニット３０３を備える。また、シート後処理装置２０００は、ビンユニット３０１に積載されたシート束を綴じるステイプルユニット３０４を備える。
【００２６】
画像形成装置１０００は無線通信部２５０を装備し、シート後処理装置２０００に装備される無線通信部３２０との間（両者間で）で無線通信(送受信)を行う。無線通信部２５０，３２０は例えば、周知のＲＦＩＤ（Radio Frequency Identification）タグを用いた通信回路で構成されるが、他の通信方式を用いたものでも良い。これにより、画像形成装置１０００から排出されたシートをシート後処理装置２０００へ導く駆動部を制御するとともに、シート後処理装置２０００の状態を画像形成装置１０００に通知する。コネクタ２５１，３２１は、画像形成装置１０００からシート後処理装置２０００へ電源を供給するためのコネクタである。
【００２７】
図２は、画像形成システムの画像形成装置１０００に装備された操作部３０００の構成を示す図である。
【００２８】
操作部３０００は、表示部４０１、テンキー４０２、スタートキー４０３を備える。表示部４０１には、画像形成システムの動作状態や各種メッセージ等が表示される。紙詰まり等が発生した際には、表示部４０１に紙詰まり位置や除去方法を表わす処理情報をアニメーション等を用いて表示し、また、シート後処理装置２０００に関する状態の表示も行う。また、表示部４０１には、ケーブル接続されていないシート処理装置２０００に関しても所定の表示を行う。さらに、表示部４０１はタッチパネル式で構成されており、表面に触れることにより選択キーとして機能する。テンキー４０２は、押下することで数字を入力するためのキーである。スタートキー４０３は、押下することでコピー動作の開始を指示するためのキーである。
【００２９】
図３は、画像形成システムの制御系を示すブロック図である。まず、画像形成装置１０００の制御系について説明する。
【００３０】
画像形成装置１０００の制御部３５０は、ＣＰＵ、ＲＯＭ、ＲＡＭ、Ｉ／Ｏポート（いずれも不図示）で構成され、ＣＰＵのアドレスバス、データバスはＲＯＭ、ＲＡＭ、Ｉ／Ｏポートに接続される。ＣＰＵは、画像形成装置１０００の制御手順（制御プログラム）を記憶した読取専用メモリ（ＲＯＭ）からプログラムを順次読み取り実行する。入力データの記憶や作業用記憶領域としてはランダムアクセスメモリ（ＲＡＭ）が用いられる。また、制御部３５０と操作部３０００等の各負荷とは、Ｉ／Ｏポート等を介して接続される。
【００３１】
操作部３０００は、ユーザが操作するキー入力手段であるテンキー４０２、スタートきー４０３と、装置の状態等を液晶に表示する表示部４０１と、を備える。画像読み取り部３６０は前述したリーダ部であり、画像処理部１１０に接続される。画像処理部１１０は、画像読み取り部３６０で読み取った画像データに所定の処理を施し、プリントデータ（レーザ駆動データ）へ変換する。また、外部装置（例えばパソコン）等の外部Ｉ／Ｆ（不図示）は、画像処理部１１０に接続される。
【００３２】
また、制御部３５０は、モータドライバやトランジスタを介して給紙系、シート搬送系、光学系、トナー搬送系等の駆動を行うモータ類３５２、主に給紙系、シート搬送系等を駆動するクラッチ類３５３、ソレノイド類３５４と接続される。
【００３３】
さらに、制御部３５０には、シート給紙部、シート搬送部に配置された紙検センサ類３５７が接続される。制御部３５０は、紙検センサ類３５７からの信号に基づき、シートの有無やシート詰まり（紙詰まり）の情報を表示部４０１に表示したり、給紙制御、シート搬送制御等を行う。さらに、制御部３５０には、スイッチ類３５８やその他のセンサ類３５９が接続される。スイッチ類３５８は、例えば各負荷のホームポジション、ドアの開閉状態等の検知に用いられる。その他のセンサ類３５９は、例えば、現像器内のトナー量検知、トナー有無検知等に用いられる。
【００３４】
高圧制御部３５５の多くは基板で構成され、制御部３５０のＣＰＵの指示に従って、電子写真プロセスに必要な帯電、現像、転写、分離の高圧を各帯電器、現像器へ出力する。ヒータ制御部３５６は、シートに転写された画像を定着する定着部２０７のヒータを適切な温度に制御するように、温度検知センサ、ヒータドライバ等から構成され、制御部３５０のＣＰＵの指示に従い制御される。
【００３５】
また、画像処理部１１０で生成された画像データは制御部３５０でレーザ駆動信号に変換してレーザ制御部３６１に出力する。レーザ制御部３６１は、レーザ駆動信号に基づきレーザ光を感光体２０２に照射して潜像を形成する。
【００３６】
さらに、制御部３５０は、外部装置との通信を行う双方向の無線通信部２５０に接続される。無線通信部２５０は、シート後処理装置２０００等とシリアル通信するための通信手段である。画像形成装置１０００とシート後処理装置２０００との間でシート搬送の状態を通信することで、画像形成装置１０００から出力されるシートをタイミングを合わせてシート後処理装置２０００へ導き、ステイプル、パンチなどの後処理を行う。
【００３７】
さらに、無線通信部２５０ではシート後処理装置２０００の紙検センサ類３７５、スイッチ類３７６の情報やステイプルユニット３７７のステイプルの針の有無、パンチユニット３７８の状態などの情報を受信する。そして、受信した情報を基に、制御部３５０を介して操作部３０００の表示部４０１にシート後処理装置２０００の情報を表示する。
【００３８】
次に、シート後処理装置２０００の制御系について説明する。
【００３９】
シート後処理装置２００の制御部３７０も制御部３５０と同様に、ＣＰＵ、ＲＯＭ、ＲＡＭ、Ｉ／Ｏポート（いずれも不図示）で構成され、ＣＰＵのアドレスバス、データバスはＲＯＭ、ＲＡＭ、Ｉ／Ｏポートに接続される。シート搬送系を駆動するモータ類３７２、クラッチ類３７３、ソレノイド類３７４はモータドライバやトランジスタを介して制御部３７０と接続され、制御部３７０内のＣＰＵにより駆動制御される。
【００４０】
また、シート搬送部に配置される紙検センサ類３７５も制御部３７０に接続され、シート有無を検知する複数のセンサの信号に基づいてシート搬送状態を検知してシート搬送制御を行う。ステイプルユニット３０４、パンチユニット３０２も制御部３７０に接続され、センサ類３７５からの信号に基づいて各ユニットの状態（シート位置情報等）を検知し、適切なタイミングに適切な箇所へステイプルもしくはパンチ動作を行うようにモータ等を制御する。
【００４１】
さらに、制御部３７０には、画像形成装置１０００の無線通信部２５０と通信を行うための無線通信部３２０が接続され、紙検センサ類３７５、スイッチ類３７６、ステイプルユニット３０４、パンチユニット３０２の各状態の通信を行う。
【００４２】
次に、シート後処理装置２０００への電源供給について説明する。
【００４３】
画像形成装置１０００とシート後処理装置２０００とが接続された状態では、コネクタ２５１，３２１（図６参照）を介して画像形成装置１０００の電源供給部３６２からシート後処理装置２０００の電源切換え部３７９へ電源が供給される。この状態では適切な電源容量を画像形成装置１０００から供給可能であるため、すべての負荷に電源を通電して動作可能な状態にする。
【００４４】
一方、紙詰まり、ステイプルの針交換、パンチユニットの処理等によりシート後処理装置２０００を画像形成装置１０００から引き離した際には、画像形成装置１０００からシート後処理装置２０００への電源供給が断たれる（コネクタ未接続）。このため、シート後処理装置２０００の電源切換え部３７９においてバックアップ用電源（電池など）による電源供給が行われるように切り換えを行う。この切り換えは、シート後処理装置２０００の制御部３７０が画像形成装置１０００との接続状態を検知し、電源切換え部３７９へ切換え信号を出力することにより制御される。
【００４５】
次に、図４を参照して、シート後処理装置２０００のセンサ系に供給される低電圧電源（３．３Ｖ）に関して、電源切換え部３７９と電源ＯＮ／ＯＦＦ制御部４５０とについて説明する。
【００４６】
モータ、クラッチ、ソレノイド等に供給される電源（２４Ｖ、３８Ｖ）に関してはコネクタ２５１，３２１からのみ供給され、コネクタ未接続時は供給されない。
【００４７】
電源切換え部３７９は、画像形成装置１０００から供給される電源と、該電源とは独立したバックアップ用電源（電池など）とを切換える手段である。電源切換え部３７９は、制御部３７０のＣＰＵ４５４からの切換え信号により、制御部３７０のＣＰＵ４５４、ＲＯＭ４５３、ＲＡＭ４５２、ＣＰＵ周辺回路４５１に供給する電源を切り換える。電源切換え部３７９は、制御部３７０のＣＰＵ４５４からの切換え信号により、無線通信部３２０、紙検センサ４５５〜４５７、ＳＷ類４５８、ステイプルユニットセンサ４５９、パンチユニットセンサ４６０に供給する電源を切換える。ステイプルユニットセンサ４５９は、例えばステイプルユニットにおける針詰まりや針なしを検知するセンサを含む。パンチユニットセンサ４６０の一部又は全部は、例えばパンチユニットの異常を検知するセンサを含む。
【００４８】
紙検センサ４５５〜４５７は、シート後処理装置２０００のシート搬送パス３３０〜３３２（図１）ごとにグループ分けされている。このように同一のシート搬送パスごとにセンサをグループ分けすることで、通電が必要なシート搬送パスのみの電源供給制御が可能となる。
【００４９】
シート後処理装置２０００と画像形成装置１０００とが接続されている場合は、コネクタ２５１，３２１を介して画像形成装置１０００から電源供給が行われるように、電源切換え部３７９が切り換えられる。シート後処理装置２０００が画像形成装置１０００から引き離され、コネクタ２５１，３２１が接続されていない場合は、バックアップ用電源（電池など）から電源供給が行なわれるように、電源切換え部３７９が切り換えられる。ＣＰＵ４５４、ＲＯＭ４５３、ＲＡＭ４５２、ＣＰＵ周辺回路４５１、無線通信部３２０に関しては、電源切換え部３７９がどちらの切り換え状態であっても電源が供給されるようになっている。
【００５０】
各センサ、スイッチ類に対しては、バックアップ電源から電源供給を行う際は電源供給のＯＮ／ＯＦＦを電源ＯＮ／ＯＦＦ制御部４５０で行う。本実施形態では、電源ＯＮ／ＯＦＦ制御部４５０の制御信号を減らすように構成しているため、複数のセンサの電源ＯＮ／ＯＦＦを切換えるようにしているが、シート搬送パスのグループ分けをさらに細分化して制御することで、より一層の省電力化が可能となる。
【００５１】
シート後処理装置２０００が画像形成装置１０００から引き離され、コネクタ２５１，３２１が接続されていない場合は、ＣＰＵ４５４はメモリにバックアップされた各センサ状態の情報に基づき、電源ＯＮ／ＯＦＦ制御部４５０を制御する。すなわち、ＣＰＵ４５４は電源供給すべきセンサを選択し、選択されたセンサに対してバックアップ電源からの電源供給を行うように電源ＯＮ／ＯＦＦ制御部４５０を制御する。これにより、センサの出力に基づいて検知したシート後処理装置２０００の状態情報を無線通信部３２０を介して画像形成装置１０００へ送信することで、画像形成装置１０００の表示部４０１にシート後処理装置２０００の状態が表示される。また、この場合、データ量が少ないため、無線通信部３２０は画像形成装置１０００とシート後処理装置２０００とが接続されている状態での通信速度、頻度よりも遅い速度で通信する。このため、無線通信部３２０の通信速度や頻度を軽減（低下）することができ、省電力化も可能となる。
【００５２】
次に、図５を参照して、画像形成装置１０００とシート後処理装置２０００とがコネクタ接続されている場合とコネクタ接続されていない場合のシート後処理装置２０００のＣＰＵ４５４の制御について説明する。
【００５３】
まず、ステップＳ１では、ＣＰＵ４５４は、画像形成装置１０００とシート後処理装置２０００との接続検知を行う。ステップＳ１で接続が検知された場合は、ステップＳ２に移行し、接続が検知されない場合は、ステップＳ５に移行する。
【００５４】
ステップＳ２では、コネクタ２５１，３２１により画像形成装置１０００から電源供給が行われるよう、電源切換え部３７９により電源が各負荷に対して供給される。また、ＣＰＵ４５４は、電源ＯＮ／ＯＦＦ制御部４５０のスイッチをすべてＯＮにするように制御する。この場合は、モータ、クラッチ、ソレノイド等に供給される電圧（２４Ｖ、３８Ｖ）に関してもコネクタ２５１，３２１から供給される。
【００５５】
次に、ステップＳ３では、各センサの状態を検知してメモリ等にバックアップし、ステップＳ５に移行する。ステップＳ４では、画像形成装置１０００へシート後処理装置２０００の状態を通信する。画像形成装置１０００は、表示部４０１にシート後処理装置２０００の状態を表示する必要があれば表示する。
【００５６】
一方、ステップＳ１において、画像形成装置１０００との接続が未接続と検知された場合は、ステップＳ５で、ＣＰＵ４５４は、バックアップ電源に切り換えるよう切換え信号を電源切換え部３７９へ出力する。この場合は、制御部３７０のＣＰＵ４５４、ＲＯＭ４５３、ＲＡＭ４５２、ＣＰＵ周辺回路４５１、および無線通信部３２０に対して電源供給がなされる。
【００５７】
次に、ステップＳ６では、ＣＰＵ４５４はメモリ等にバックアップされた情報に基づき、状態検知を行う必要があるセンサ、スイッチに対して電源ＯＮ／ＯＦＦ制御部４５０を制御することで、バックアップ電源から電力の供給を行う。この場合、図４で説明したように、例えば同一シート搬送パス等のセンサ類をグループ分けすることで、制御信号を減らす事が可能になり、さらに省電力化が可能となる。また、これにより、リアルタイムにセンサ状態等の検知が可能となる。
【００５８】
次に、ステップＳ７では、電源が供給されているセンサの状態をメモリにバックアップし、ステップＳ８では、画像形成装置１０００へシート処理装置２０００の状態を通信する。この場合は、ステップＳ４での通信とは異なり、電源が供給されているセンサに関する情報のみの通信を行う。これにより、通信速度、および通信頻度を軽減して省電力化を可能とする。シート後処理装置２０００と画像形成装置１０００との接続が検知されるまでは、上記制御を繰り返す。
【００５９】
なお、本制御は、メカスイッチによる電源ＯＦＦもしくは画像形成装置１０００からのＯＦＦ指示を検知したら終了する。
【００６０】
以上説明したように、本実施形態では、シート後処理装置２０００が引き離されて画像形成部１０００からの電力が遮断された場合は、電源切換え部３７９のバクアップ用電源からシート後処理装置２０００の必要最低限の箇所にのみ電力を供給する。これにより、省電力で安定してシート後処理装置２０００の状態を画像形成装置１０００の表示部４０１に表示することができる。
【００６１】
上述した実施形態では、ＣＰＵ４５４が電源切換え部３７９へ切換え信号を出力して電源切り換えを行った。しかし、ＣＰＵ４５４を介さずに画像形成装置１０００とシート後処理装置２０００との機械的接続を検知するスイッチに連動して電源の切換えが行われる構成としても良い。
【００６２】
なお、本発明は、上記実施の形態に例示したものに限定されるものではなく、本発明の要旨を逸脱しない範囲において適宜変更可能である。
【図面の簡単な説明】
【００６３】
【図１】本発明の実施の形態の一例である画像形成システムを説明するための概略断面図である。
【図２】画像形成装置の操作部を説明するための図である。
【図３】画像形成装置とシート後処理装置との制御系を説明するためのブロック図である。
【図４】シート後処理装置の電源切換え部と電源ＯＮ／ＯＦＦ制御部の構成を説明するためのブロック図である。
【図５】本発明の実施の形態の一例である画像形成システムの動作例を説明するためのフローチャート図である。
【図６】画像形成装置とシート後処理装置との無線通信部、電源供給部を説明するための概略斜視図である。
【符号の説明】
【００６４】
１０９    ＣＣＤユニット
１１０    画像処理部
２０１    レーザスキャナユニット
２０２    感光体
２０４    シート収納部
２０５    シート収納部
２０７    定着部
２１０    両面搬送部
２５０    無線通信部（無線通信手段）
２５１    コネクタ
３０１    ビンユニット
３０３    パンチユニット
３０４    ステイプルユニット
３２０    無線通信部（無線通信手段）
３２１    コネクタ
３６２    電源供給部（電源供給手段）
３７０    制御部（制御手段）
３７７    ステイプルユニット
３７８    パンチユニット
３７９    電源切換え部（バックアップ電源供給手段）
４５５〜４５７  紙検センサ類（検知手段）
４５９    ステイプルユニットセンサ（検知手段）
４６０    パンチユニットセンサ（検知手段）
１０００  画像形成装置（画像形成部）
２０００  シート後処理装置（シート後処理部）
【図１】
2008242294.tif 000003
【図２】
2008242294.tif 000004
【図３】
2008242294.tif 000005
【図４】
2008242294.tif 000006
【図５】
2008242294.tif 000007
【図６】
2008242294.tif 000008